(57)【特許請求の範囲】
【請求項１】
画像担持体上に形成した静電潜像にスクリューポンプで移送されるトナーを気体との混合気として現像位置から離れた位置より供給して画像を形成する電子写真方式の画像形成装置であって、形成画像を担持する画像担持体と、上記画像担持体上に形成された静電潜像を顕像化してトナー像を形成する現像手段と、上記現像手段に供給するトナーを流動化するための気体を循環して供給するエアーポンプと、上記エアーポンプの吸入口と排出口に結合されてトナーと気体との混合気を搬送すると共に気体を循環させる循環経路を形成し、更にその排出口がエアーポンプよりも高い位置にある混合気搬送手段と、上記エアーポンプの排出口に結合された混合気搬送手段の適所に接合されてトナーの逆流を阻止する逆流防止手段と、を有し、上記逆流防止手段は、混合気搬送手段をループ状に構成したループ形状部であるものにおいて、
上記ループ形状部のループ面は、水平面と平行な面、又は水平面に対して０度を越え且つ９０度未満の傾斜角を有した面であることを特徴とする画像形成装置。
【発明の詳細な説明】
【０００１】
【発明の属する技術分野】
本発明は、画像形成装置に関し、特に、電子写真方式における画像担持体上に形成した静電潜像にスクリューポンプで移送されるトナーを気体との混合気として現像位置から離れた位置より供給して画像を形成するプリンター、ファクシミリ装置、複写機あるいはこれらの複合機等の画像形成装置に関する。
【０００２】
【従来の技術】
乾式１成分又は乾式２成分のトナーを用いたプリンター、ファクシミリ装置、複写機あるいはこれらの複合機等の画像形成装置において、いったんは感光体上に転移しながら、転写体上に転写されなかったトナーを、クリーニング手段で回収した後、再び現像器に戻して再利用するリサイクル現像により画像形成が行われるようになっている。
現像剤のトナーを現像部にポンプを使って気体の流れに乗せて循環輸送して供給することは公知である（特公昭６３ー３３０８号等の公報を参照）。
図８はスクリューポンプを用いたトナーリサイクル機構の分解斜視図、図９はスクリューポンプの断面図であり、ドラム形状の感光体である画像担持体１０１上、又は、図示しないベルト形状の転写体に付着して残留したトナーを、クリーニングユニット１０６のクリーニングブレード１０６ａ等で回収したトナーを再使用する場合には、クリーニングユニット１０６の排出管１０６ｂから排出される回収トナーを接続手段１０７を介して横搬送スクリューケース１０７ａ内に落とし込み、駆動モータ１０８の回転駆動力を回転駆動力伝達手段１０８ａのプーリとベルトを介して横搬送スクリューケース１０７ａ内の横搬送スクリュー１０７ｂを、スクリューポンプ１０９のホルダ１０９ｃに保持されたステータ１０９ａ内のロータ１０９ｂと一体に回転して、横搬送スクリュー１０７ｂの回転で回収トナーをステータ１０９ａ内へと送り込まれる。
スクリューポンプ１０９のステータ１０９ａ内のロータ１０９ｂの回転でトナーを、ステータ１０９ａ内から出口１０９ｄを通して押し出すように、出口１０９ｄに接続した混合気搬送手段１０４内に送り込むと共に、エアーポンプ１０３で空気を空気移送管１０３ａを通してスクリューポンプ１０９内に入れて空気との混合気として混合気搬送手段１０４内に送り込み、現像器１０２の容器に搬送するようにして、トナーを現像位置から離れた位置より供給して画像を形成する画像形成装置が同一出願人の発明者から提案されている。
然し、上記従来の画像形成装置において、スペース的な規制や駆動源の簡素化、例えば、エアーポンプ１０３と他のユニットの駆動源を兼用するためにエアーポンプ１０３が鉛直方向で現像器１０２より低い位置に設置されている場合には、エアーポンプ１０３が停止した後に、混合気搬送手段１０４のチューブ管等の内壁に残存したトナーが、振動等が加わると、トナーが振動と重力によりエアーポンプ１０３側に逆流して詰まり、エアーポンプ１０３の図示しない排出側の弁を塞いだり、弁が閉じなくなる等、エアーポンプ１０３が正常に機能しなくなると言う不具合が生じていた。
【０００３】
【発明が解決しようとする課題】
前述した従来の画像形成装置は、エアーポンプが停止した後に、混合気搬送手段の弾性管等の内壁に残存したトナーが、振動等が加わると、トナーが振動と重力によりエアーポンプ側に逆流して詰まり、エアーポンプの排出側の弁を塞いだり、弁が閉じなくなる等、エアーポンプが正常に機能しなくなり形成される画像品質が低下すると言う不具合が生じていた。
そこで本発明の課題は、このような問題点を解決するものである。即ち、エアーポンプが停止した後に、混合気搬送手段の弾性管等の内壁に残存したトナーが、振動等が加わっても、エアーポンプ側へ逆流することを阻止して、エアーポンプが正常に機能して高品質の画像形成が行われる画像形成装置を提供することにある。
【０００４】
【課題を解決するための手段】
上記目的を達成するために、請求項１の本発明は、画像担持体上に形成した静電潜像にスクリューポンプで移送されるトナーを気体との混合気として現像位置から離れた位置より供給して画像を形成する電子写真方式の画像形成装置であって、形成画像を担持する画像担持体と、上記画像担持体上に形成された静電潜像を顕像化してトナー像を形成する現像手段と、上記現像手段に供給するトナーを流動化するための気体を循環して供給するエアーポンプと、上記エアーポンプの吸入口と排出口に結合されてトナーと気体との混合気を搬送すると共に気体を循環させる循環経路を形成し、更にその排出口がエアーポンプよりも高い位置にある混合気搬送手段と、上記エアーポンプの上記排出口に結合された混合気搬送手段の適所に接合されてトナーの逆流を阻止する逆流防止手段と、を有し、上記逆流防止手段は、混合気搬送手段をループ状に構成したループ形状部であるものにおいて、上記ループ形状部のループ面は、水平面と平行な面、又は水平面に対して０度を越え且つ９０度未満の傾斜角を有した面であることを特徴とする。
【０００５】
【作用】
上記のように構成された画像形成装置は、請求項１においては、電子写真方式における画像担持体上に形成した静電潜像を顕像化してトナー像を形成する現像手段にスクリューポンプにより供給するトナーを流動化するための気体との混合気を移送するエアーポンプの吸入口と排出口に結合されてトナーと気体との混合気を搬送すると共に気体を循環して再使用させるエアーポンプの排出口側に結合された混合気搬送手段に逆流防止手段を設けてトナーの逆流を阻止するようにして、混合気搬送手段の排出口がエアーポンプより高い位置にあって、エアーポンプが停止した後に、混合気搬送手段の弾性管等の内壁に残存したトナーに振動等が加わっても、エアーポンプ側へのトナーの逆流を阻止して、エアーポンプが正常に機能して高品質の画像形成が行われる画像形成装置を提供すること出来るようにする。
また、電子写真方式における画像担持体上に形成した静電潜像を顕像化してトナー像を形成する現像手段にスクリューポンプにより供給するトナーを流動化するための気体との混合気を移送するエアーポンプの吸入口と排出口に結合されてトナーと気体との混合気を搬送すると共に気体を循環して再使用させるエアーポンプの排出口側に結合された混合気搬送手段に逆流防止手段の混合気搬送手段のループ形状部を設けてトナーの逆流を阻止するようにして、混合気搬送手段の排出口がエアーポンプより高い位置にあって、エアーポンプが停止した後に、混合気搬送手段の弾性管等の内壁に残存したトナーに振動等が加わっても、新たな装置等を追加することもなく、エアーポンプ側へのトナーの逆流を阻止して、エアーポンプが正常に機能して高品質の画像形成が行われる画像形成装置を提供すること出来るようにする。
また、電子写真方式における画像担持体上に形成した静電潜像を顕像化してトナー像を形成する現像手段にスクリューポンプにより供給するトナーを流動化するための気体との混合気を移送するエアーポンプの吸入口と排出口に結合されてトナーと気体との混合気を搬送すると共に気体を循環して再使用させるエアーポンプの排出口側に結合された混合気搬送手段に逆流防止手段の混合気搬送手段のループ形状部のループ面は、水平面と平行な面、又は水平面に対して０度を越え且つ９０度未満の傾斜角を有した面としてトナーの逆流を阻止するようにして、混合気搬送手段の排出口がエアーポンプより高い位置にあって、エアーポンプが停止した後に、混合気搬送手段の弾性管等の内壁に残存したトナーに振動等が加わっても、新たな装置等を追加することもなく、エアーポンプ側へのトナーの逆流を確実に阻止して、エアーポンプが正常に機能して高品質の画像形成が行われる画像形成装置を提供すること出来るようにする。
【０００６】
【発明の実施の形態】
次に、本発明の実施の形態を図面を参照して詳細に説明する。
図１は本発明の画像形成装置の画像形成部を中心とした機構の説明図、図２は逆流防止手段を中心とした要部構成図、図３は逆流防止手段の右側断面図である。図１乃至図３において、ドラム形状の感光体の画像担持体１は、図示しない側板に回動自在に支持されており、図示しない駆動手段により図示の矢印Ａ方向の時計方向に回転駆動される。
上記画像担持体１上は、電子写真方式における作像工程により、帯電器１０により均一に帯電した後に、露光手段１１による画像部に応じて露光が行われて形成される静電潜像を、現像手段２によって現像されて形成されたトナー像を担持するようになっている。
尚、上記画像担持体１のドラム形状の感光体は、無端ベルト形状の感光体でもよいし、更に、上記露光手段１１は、図示しないが、アナログ光学系の複写機、又は、レーザ光源と偏向器を備えたレーザ走査光学系を用いて、画像信号に応じて上記画像担持体１上に光書込みを行なう方式にすればレーザプリンターの構成となり、さらに原稿読取装置を設置すればデジタル複写機やファクシミリ装置の構成となる。
上記現像手段２は、上記画像担持体１上に形成されて担持された静電潜像にトナー（Ｔ）を供与する現像ローラ２ａ、トナー（Ｔ）を攪拌して搬送するパドラ２ｂ、パドラ２ｃ、トナー（Ｔ）層の高さを規制するブレード２ｄ、及び、これらを収容して保持する容器２ｅとからなり、スクリューポンプ９とエアーポンプ３により混合気搬送手段４の弾性管内を搬送されて上記容器２ｅ内に再利用されるリサイクル又は新規のトナー（Ｔ）が補給されるようになっている。
【０００７】
従って、上記現像手段２と別体に設けられて図示しない現像剤貯留手段に適宜補給される新規のトナー（Ｔｎ）も、図示しない上記スクリューポンプ９と図示しない上記エアーポンプ３により上記容器２ｅ内に補給されるようになっている。
上記画像担持体１上に形成されて担持された静電潜像は、上記現像手段２から供与されるトナー（Ｔ）により、乾式１成分又は乾式２成分の現像方式で磁気ブラシ現像方式により可視像化される。上記現像手段２の上記容器２ｅ内のトナー（Ｔ）は、上記パドラ２ｂ、上記パドラ２ｃにより攪拌されながら搬送されてトナー（Ｔ）とキャリアが摩擦してキャリアにトナーが付着する。そして、図示しない磁石を内蔵した上記現像ローラ２ａ上にトナー（Ｔ）が磁気ブラシを形成して上記画像担持体１上に搬送されるトナー（Ｔ）で現像される。
給紙部１２には各種サイズの転写紙（Ｐ）が収容された複数の給紙カセットが設置されている。
画像形成動作が開始されると、上記画像担持体１が上記帯電器１０により帯電され、上記露光手段１１からの原稿像が露光されて静電潜像が形成される。この静電潜像は上記現像手段２の乾式１成分現像剤、又は、乾式２成分のトナー（Ｔ）によって現像され、上記画像担持体１上にトナー像が形成される。
上記画像担持体１上のトナー像は、上記給紙部１２から転写紙（Ｐ）が給紙され、レジストローラー１３を介して上記画像担持体１と転写手段１４のニップ部の転写位置に給紙された転写紙（Ｐ）に転写される。そしてトナー像が転写された転写紙（Ｐ）は、上記転写手段１４から定着ユニット１５に搬送され、上記定着ユニット１５でトナー像が転写紙（Ｐ）に定着され、定着後の転写紙（Ｐ）は排紙ローラー１６を介して排紙されて排紙トレイ上に収納されるようになっている。
【０００８】
一方、トナー像転写後の上記画像担持体１上に付着した残留トナー又は転写ベルト１４ａに付着したトナー（Ｔ）は、クリーニングユニット６のクリーニングブレード６ａ又は転写クリーニングブレ―ド１４ｂにより掻き落とされて、排出管６ｂ又は排出管１４ｃから排出される回収トナー（Ｔ）は、接続手段７を介して上記スクリューポンプ９に搬送され、上記スクリューポンプ９と上記エアーポンプ３により供給される空気との混合気となり上記混合気搬送手段４内の弾性管内を図示の矢印Ｂ方向のトナー搬送方向に搬送されて、上記現像手段２の上記容器２ｅ内に補給される。
上記スクリューポンプ９は、上記現像手段２と別体に設けられて図示しないトナー貯留手段に適宜補給される新規トナー（Ｔｎ）、又は、上記排出管６ｂ等により供給される回収されたトナー（Ｔ）を、駆動源８等により横搬送スクリューケース７ａ内の横搬送スクリュー７ｂを介して回転して軸方向に移動させるロータ９ｂと、上記ロータ９ｂを包み込むように配置された通路を有し上記ロータ９ｂと接触係合するステータ９ａを保持して固定するホルダー９ｃとを有する。
【０００９】
図２に示す様に上記エアーポンプ３は、吸入口３ａに対向して吸入弁３ｃが図示の矢印Ｃ方向に揺動可能に保持され、排出口３ｂに対向して排出弁３ｄが図示の矢印Ｄ方向に揺動可能に保持されて、長穴３ｅ’に遊嵌した偏心カム３ｅの回転によるダイヤフラム３ｆの図示矢印Ｅ方向又は図示矢印Ｅ方向の逆方向の動作で、トナー（Ｔ）と気体の空気との混合気を吸入する際は上記吸入弁３ｃが上記吸入口３ａを開いて上記排出弁３ｄが上記排出口３ｂを閉じ、トナー（Ｔ）と気体の空気との混合気を排出する際は上記吸入弁３ｃが上記吸入口３ａを閉じて上記排出弁３ｄが上記排出口３ｂを開くようにして、トナー（Ｔ）とトナー（Ｔ）を流動化する気体の空気の混合気を移送すると共にトナー（Ｔ）を流動化する気体の空気を再使用するために循環させるようになっている。
上記スクリューポンプ９により移動するトナー（Ｔ）とそのトナー（Ｔ）を流動化する上記エアーポンプ３により循環して供給される気体の空気との混合気は、上記混合気搬送手段４の弾性管内を図示の矢印Ｂ方向のトナー搬送方向に搬送されて、上記現像手段２の上記容器２ｅにトナーを供給するトナー供給部２ｆに搬送される。上記トナー供給部２ｆは、上記混合気搬送手段４の弾性管内を搬送されて内部に吐出された混合気のトナー（Ｔ）を重力により落下させて上記容器２ｅに適宜供給させる。
上記トナー供給部２ｆ内でトナー（Ｔ）と分離した気体の空気は、循環する経路を形成する循環経路を通って上記スクリューポンプ９に供給されて再使用されようになっている。上記エアーポンプ３の上記排出口３ｂ側に結合された混合気搬送手段４の弾性管内には、トナー（Ｔ）の図示の矢印Ｂ方向への逆流を防止するために、逆流防止手段５のループ形状部５ａのループ面５ａ１が、図示の紙面に垂直である水平面と平行な面、又は水平面に対して０度を越え且つ９０度未満の傾斜角（Ｙ）を有して設けられている（図３参照）。
【００１０】
従って、上記スクリューポンプ９に再使用される気体の空気は、上記エアーポンプ３、上記トナー供給部２ｆ、循環使用する経路を形成する循環経路から上記スクリューポンプ９、上記トナー供給部２ｆより低い位置に配置された上記エアーポンプ３の順で循環して上記トナー供給部２ｆに供給されている場合であっても、上記エアーポンプ３が作動を停止した後に、上記混合気搬送手段４の弾性管等の上記ループ形状部５ａに残存したトナー（Ｔ）に、振動等が加わっても、トナー（Ｔ）が振動と重力により、上記エアーポンプ３側へ逆流することが阻止される。つまり、新たな装置等を追加することもなく、上記エアーポンプ３側への逆流を上記逆流防止手段５の上記ループ形状部５ａが阻止し、トナー（Ｔ）の逆流により上記排出弁３ｄがトナー（Ｔ）により塞がれたり、上記排出弁３ｄの弁座に入り込んで閉じなくなること等を防止して、上記エアーポンプ３を正常に機能させることができる。従って、高品質の画像形成が行われる画像形成装置を提供することが出来る。
なお、図１に示したエアーポンプ３に対する混合気搬送手段４の接続方法は、エアーポンプ３の左方から吸入し右方から吐出するように構成してあり、ここに図示された配管構成は図２、図３のものと若干異なる。つまり、図２のエアーポンプは吸入口３ａと、吐出口３ｂが同じ左側に位置しているが、このようなレイアウトは種々変更可能なものであり、いずれの構成であってもよい。
【００１１】
図４は他の形態例の逆流防止手段の構成説明図であり、この逆流防止手段５の螺旋形状部５ｂは、上記混合気搬送手段４の弾性管を図示の矢印Ｂ方向のトナー搬送方向に螺旋形状にしたものであり、新たな装置等を追加することもなく、上記螺旋形状部５ｂにより上記エアーポンプ３へのトナー（Ｔ）の逆流を更に確実に防ぐことが出来るようになった。
図５は他の形態例の逆流防止手段の構成説明図であり、この形態例の逆流防止手段５の袋形状部５ｃは、上記混合気搬送手段４の弾性管の内壁４ａに袋の形状をしたトナー溜まりを設けて、逆流するトナー（Ｔ）をトナー溜まりに溜まるようにしたもので、図示の矢印Ｂ方向のトナー搬送方向へのトナー搬送に際して上記エアーポンプ３への負荷を増やすこともなく、上記エアーポンプ３へのトナー（Ｔ）の逆流を防ぐことが出来るようになった。
【００１２】
図６は他の形態例の逆流防止手段の構成説明図であり、この形態例の逆流防止手段５の逆流止め弁５ｄは、上記混合気搬送手段４の弾性管内に図示の矢印Ｂ方向のトナー搬送方向のトナー（Ｔ）の排出方向のみ通過可能で排出方向の逆方向への通過を阻止する１個又は複数個の開閉部材を設けたもので、上記混合気搬送手段４の弾性管の長さを増やすこともなく、上記エアーポンプ３へのトナー（Ｔ）の逆流を防ぐことが出来るようになった。
この逆流防止手段５は、大径の筒状部内に逆流止め弁５ｄを開閉自在に配置したものであり、この弁５ｄは一端（図面左側端部）を開閉自在に支持されると共に他端（右端部）を一方向に向けて開放可能に係止されている。つまり、この弁５ｄは図示の閉止位置から反時計回り方向へ回動した時に開放状態となり、開放状態から時計回り方向へ回動したときに図示の閉止状態となる。
【００１３】
図７は他の形態例の逆流防止手段の構成説明図であり、この逆流防止手段５の加振手段５ｅは、上記混合気搬送手段４の弾性管によって図示の矢印Ｂ方向のトナー搬送方向にトナー（Ｔ）を搬送中、上記混合気搬送手段４の弾性管の外壁４ｂを挟む加振部材５ｅ１をモータ５ｅ２の回転駆動により振動させるものである。
即ち、例えば加振部材５ｅ１は、弾性管を挟持する部分からブラケット５ｅ１’がモータ５ｅ２側へ延びており、ブラケット５ｅ１に形成した穴内に、モータ５ｅ２の出力軸５ｅ２’に固定された編芯カム５ｅ３が遊嵌している。そして、モータ５ｅ２の回転により出力軸５ｅ２’に固定された編芯カム５ｅ３が回転することにより、上記加振部材５ｅ１が上記混合気搬送手段４の弾性管に振動を加えるため、上記エアーポンプ３の作動中に上記混合気搬送手段４の弾性管内をクリーンにする。このため、上記混合気搬送手段４の弾性管のトナー詰まりを防止して、上記エアーポンプ３へのトナー（Ｔ）の逆流を防ぐことが出来るようになった。
【００１４】
【発明の効果】
本発明は、以上説明したように構成されているので、請求項１の発明によれば、電子写真方式における画像担持体上に形成した静電潜像を顕像化してトナー像を形成する現像手段にスクリューポンプにより供給するトナーを流動化するための気体との混合気を移送するエアーポンプの吸入口と排出口に結合されてトナーと気体との混合気を搬送すると共に気体を循環して再使用させるエアーポンプの排出口側に結合された混合気搬送手段に逆流防止手段を設けてトナーの逆流を阻止するようにしたので、混合気搬送手段の排出口がエアーポンプより高い位置にあって、エアーポンプが停止した後に、混合気搬送手段の弾性管等の内壁に残存したトナーに振動等が加わっても、エアーポンプ側へのトナーの逆流を阻止して、エアーポンプが正常に機能して高品質の画像形成が行われる画像形成装置を提供すること出来るようになった。
また、電子写真方式における画像担持体上に形成した静電潜像を顕像化してトナー像を形成する現像手段にスクリューポンプにより供給するトナーを流動化するための気体との混合気を移送するエアーポンプの吸入口と排出口に結合されてトナーと気体との混合気を搬送すると共に気体を循環して再使用させるエアーポンプの排出口側に結合された混合気搬送手段に逆流防止手段の混合気搬送手段のループ形状部を設けてトナーの逆流を阻止するようにしたので、混合気搬送手段の排出口がエアーポンプより高い位置にあって、エアーポンプが停止した後に、混合気搬送手段の弾性管等の内壁に残存したトナーに振動等が加わっても、新たな装置等を追加することもなく、エアーポンプ側へのトナーの逆流を阻止して、エアーポンプが正常に機能して高品質の画像形成が行われる画像形成装置を提供すること出来るようになった。つまり、混合気搬送手段の管体をループ状、コイル状に構成することにより、エアーポンプ停止時に逆流しようとするトナーをこの部分でせき止め、阻止することができる。
【００１５】
更に、請求項１の発明によれば、電子写真方式における画像担持体上に形成した静電潜像を顕像化してトナー像を形成する現像手段にスクリューポンプにより供給するトナーを流動化するための気体との混合気を移送するエアーポンプの吸入口と排出口に結合されてトナーと気体との混合気を搬送すると共に気体を循環して再使用させるエアーポンプの排出口側に結合された混合気搬送手段に逆流防止手段の混合気搬送手段のループ形状部のループ面は、水平面と平行な面、又は水平面に対して０度を越え且つ９０度未満の傾斜角を有した面としてトナーの逆流を阻止するようにしたので、混合気搬送手段の排出口がエアーポンプより高い位置にあって、エアーポンプが停止した後に、混合気搬送手段の弾性管等の内壁に残存したトナーに振動等が加わっても、新たな装置等を追加することもなく、エアーポンプ側へのトナーの逆流を確実に阻止して、エアーポンプが正常に機能して高品質の画像形成が行われる画像形成装置を提供すること出来るようになった。
【図面の簡単な説明】
【図１】本発明の実施の形態例を示す画像形成装置を説明する説明図である。
【図２】本発明の実施の形態例を示す画像形成装置の主要部を説明する拡大説明図である。
【図３】本発明の実施の形態例を示す画像形成装置の他の主要部の状態を説明する拡大説明図である。
【図４】本発明の他の実施の形態例を示す画像形成装置の主要部を説明する説明図である。
【図５】本発明の他の実施の形態例を示す画像形成装置の主要部を説明する説明図である。
【図６】本発明の他の実施の形態例を示す画像形成装置の主要部を説明する説明図である。
【図７】本発明の他の実施の形態例を示す画像形成装置の主要部を説明する説明図である。
【図８】従来の画像形成装置の主要部を説明する拡大展開図である。
【図９】従来の画像形成装置の他の主要部を説明する拡大断面図である。
【符号の説明】
１  画像担持体
２  現像手段、２ａ  現像ローラ、２ｂ  パドラ、２ｃ  パドラ、  ２ｄ  ブレード、２ｅ  容器、２ｆ  トナー供給部
３  エアーポンプ、３ａ  吸入口、３ｂ  排出口、３ｃ  吸入弁、３ｄ  排出弁、３ｅ  編芯カム、３ｆ  ダイヤフラム
４  混合気搬送手段、４ａ  内壁、４ｂ  外壁
５  逆流防止手段、５ａ  ループ形状部、５ａ１  ループ面、５ｂ  螺旋形状部、５ｃ  袋形状部、５ｄ  逆流止め弁、５ｅ  加振手段、５ｅ１  加振部材、５ｅ２  モータ、５ｅ３  編芯カム
６  クリーニングユニット、６ａ  クリーニングブレード、６ｂ  排出管
７  接続手段、７ａ  横搬送スクリューケース、７ｂ  横搬送スクリュー
８  駆動源
９  スクリューポンプ、９ａ  ステータ、９ｂ  ロータ、９ｃ  ホルダー
１０  帯電器
１１  露光手段
１２  給紙部
１３  レジストローラー
１４  転写手段、１４ａ  転写ベルト、１４ｂ  転写クリーニングブレ―ド、１４ｃ  排出管
１５  定着ユニット
１６  排紙ローラ
１０１  画像担持体
１０２  現像器
１０３  エアーポンプ
１０４  混合気搬送手段
１０６  クリーニングユニット、１０６ａ  クリーニングブレード、１０６ｂ  排出管
１０７  接続手段、１０７ａ  横搬送スクリューケース、１０７ｂ  横搬送スクリュー
１０８  駆動モータ、１０８ａ  回転駆動力伝達手段
１０９  スクリューポンプ、１０９ａ  ステータ、１０９ｂ  ロータ、１０９ｃ  ホルダ、１０９ｄ  出口
【図１】
0003652103.tif 000002
【図２】
0003652103.tif 000003
【図３】
0003652103.tif 000004
【図４】
0003652103.tif 000005
【図５】
0003652103.tif 000006
【図６】
0003652103.tif 000007
【図７】
0003652103.tif 000008
【図８】
0003652103.tif 000009
【図９】
0003652103.tif 000010